(57)【要約】【課題】プリペイドカードのような価値情報を記録した媒体を必要とせず、しかもオフラインでの運用を可能とする。【解決手段】サービス提供システムは、ＡＴＭに一体化された自動振込装置１、利用者が所持する携帯電話機等の携帯端末機２、例えば缶入り飲料の自動販売機３を備えて構成される。利用者は、自動振込装置１により登録（入金）を行うことにより、入金金額に応じた価値情報のデータ及び処理プログラムが送信される。携帯端末機２は、利用者の設定操作により、価値情報を記録した二次元コードＣを生成し表示器５へ表示する共に、メモリ内の残存価値情報を現在値として順次（不可逆的に）書替えていく。自動販売機３は、読取部２８内に携帯端末機２の先端部が挿入された状態で、表示器５に表示された二次元コードＣを画像読取器により読取ることに基づいて、商品を払出す。【選択図】　図１
2004030167.tif 000002
【特許請求の範囲】
【請求項１】
サービスの利用者が所持する携帯端末機と、サービスの提供者により設置され自動でサービスを提供するサービス提供装置とを備えてなるサービス提供システムであって、
前記携帯端末機は、受領できるサービスの量に関する価値情報を表示する表示器を備え、その表示器に、前記価値情報として、現時点で受領可能なサービスの量に関する価値情報の現在値、受けようとするサービスに相当する対価価値情報、当該サービスを受領した後に残存する受領可能なサービスの量に関する残存価値情報、のうち少なくとも２つを表示するように構成されていると共に、
前記サービス提供装置は、前記携帯端末機の表示器に表示された価値情報を読取る読取器を備え、その読取器により、前記表示器に表示された価値情報を読取ることに基づいてサービス提供の可否を判断しサービスを提供するように構成されていることを特徴とするサービス提供システム。
【請求項２】
前記携帯端末機は、サービスを受けるための所定の設定操作が行われることに基づいて、前記表示器に価値情報を表示し、以後は、前記設定操作の取消し或いは変更を受付けないように構成されていることを特徴とする請求項１記載のサービス提供システム。
【請求項３】
前記携帯端末機は、サービスを受けるための所定の設定操作が行われると、前記表示器に価値情報を確定表示して良いかを確認させる表示を行い、確認操作が行われると、前記表示器に価値情報を表示し、以後は、前記設定操作の取消し或いは変更を受付けないように構成されていることを特徴とする請求項２記載のサービス提供システム。
【請求項４】
前記携帯端末機は、サービスを受けるための第１の設定操作の入力を受けると、前記表示器に価値情報の現在値を表示し、
前記サービス提供装置は、表示部を備え、前記携帯端末機の表示器に表示された価値情報の現在値を読取ると、前記表示部に第２の設定操作を促す表示を行い、
その後、前記携帯端末機は、受けようとするサービスの対価価値情報に対応する第２の設定操作の入力を受けると、前記表示器に、対価価値情報又は残存価値情報の少なくともいずれか一方を表示し、
前記サービス提供装置は、前記携帯端末機の表示器に表示された対価価値情報又は残存価値情報を読取ることに基づいてサービス提供の可否を判断しサービスを提供することを特徴とする請求項１記載のサービス提供システム。
【請求項５】
前記携帯端末機は、前記第２の設定操作の入力を受けると、以後は、前記設定操作の取消し或いは変更を受付けないように構成されていることを特徴とする請求項４記載のサービス提供システム。
【請求項６】
前記携帯端末機は、前記第２の設定操作が行われると、前記表示器に価値情報を確定表示して良いかを確認させる表示を行い、確認操作が行われると、以後は、前記設定操作の取消し或いは変更を受付けないように構成されていることを特徴とする請求項４又は５記載のサービス提供システム。
【請求項７】
前記サービス提供装置は送信機能を有すると共に、前記携帯端末機は受信機能を有し、
前記携帯端末機は、受けようとするサービスの対価価値情報に対応する設定操作の入力を受けると、前記表示器に、対価価値情報を含む第１の情報の表示を行い、
前記サービス提供装置は、前記携帯端末機の表示器に表示された第１の情報を読取ると、該携帯端末機に対して第２の情報を表示させる信号を送信し、
前記携帯端末機は、その信号を受信すると、前記表示器を、残存価値情報を含む第２の情報の表示に切替え、
前記サービス提供装置は、前記携帯端末機の表示器に表示された第２の情報を読取ると、前記第１及び第２の情報からサービス提供の可否を判断しサービスを提供することを特徴とする請求項１記載のサービス提供システム。
【請求項８】
前記携帯端末機は、前記設定操作の入力を受けて表示器に第１の情報を表示すると、以後は、前記設定操作の取消し或いは変更を受付けないように構成されていることを特徴とする請求項７記載のサービス提供システム。
【請求項９】
前記携帯端末機は、前記設定操作が行われると、前記表示器に第１の情報を確定表示して良いかを確認させる表示を行い、確認操作が行われると、以後は、前記設定操作の取消し或いは変更を受付けないように構成されていることを特徴とする請求項７又は８記載のサービス提供システム。
【請求項１０】
前記サービス提供装置が携帯端末機に対して送信する信号は、音波を用いて無線伝送されることを特徴とする請求項７ないし９のいずれかに記載のサービス提供システム。
【請求項１１】
利用者が受領できるサービスに関する価値情報を入力するために設置される自動振込装置を備え、
前記自動振込装置は、価値情報の振込先の携帯端末機の識別情報の入力操作と共に入金を受付けると、通信手段を介して、指定された携帯端末機を呼出し、入金金額に応じた価値情報と、価値情報の処理プログラムとを送信することを特徴とする請求項１ないし１０のいずれかに記載のサービス提供システム。
【請求項１２】
前記自動振込装置は、前記識別情報を価値情報に付加して前記携帯端末機に送信し、
前記携帯端末機は、前記価値情報に付加された識別情報と、自らに予め設定されている識別情報とを照合し、一致した場合に価値情報の入力を受付けるように構成されていることを特徴とする請求項１１記載のサービス提供システム。
【請求項１３】
前記自動振込装置は、指定された携帯端末機に対して設定すべきパスワード又は暗証番号の入力を受付け、入力があったときにはそのパスワード又は暗証番号を価値情報に付加して前記携帯電話機に送信し、
前記サービス提供装置は、前記携帯端末機の表示器に表示された価値情報を読取ると、入力部からパスワード又は暗証番号の入力を受付け、そのパスワード又は暗証番号の照合を行って一致した場合にサービスを提供するように構成されていることを特徴とする請求項１１又は１２記載のサービス提供システム。
【請求項１４】
前記携帯端末機の表示器に表示される価値情報は、二次元コードで表示されることを特徴とする請求項１ないし１３のいずれかに記載のサービス提供システム。
【請求項１５】
前記携帯端末機は、受領可能なサービスの残量がなくなったときには、処理プログラムの実行を不可能とすることを特徴とする請求項１ないし１４のいずれかに記載のサービス提供システム。
【請求項１６】
前記サービス提供装置は、前記携帯端末機の表示器に表示された価値情報を読取ることに基づき提供可能なサービスを判断し、提供可能なサービスを利用者に選択させるための表示を行うことを特徴とする請求項１ないし１５のいずれかに記載のサービス提供システム。
【発明の詳細な説明】
【０００１】
【発明の属する技術分野】
本発明は、オフラインで運用可能なサービス提供システムに関する。
【０００２】
【発明が解決しようとする課題】
例えば、缶入り飲料に代表される各種商品の自動販売機や、各種チケットの自動販売機、コンビニ等に設置されデジカメのプリントサービスや、音楽ソフト，ゲームソフト等の配信を行うマルチメディア端末など、サービス（商品）を自動で提供するサービス提供装置においては、一般に、装置に現金（貨幣）を投入してサービスを受けるようになっている。
【０００３】
これに対し、近年では、そのようなサービス提供装置にあって、利用者のキャッシュレス化を図ることのできるシステムとして、クレジットカード、デビットカード等による決済システムが考えられている。また、それらカードの代りに、利用者の個人識別コードが記録されたバーコードを印刷した表示体（シート）を用いたり、さらには、その表示体に代えて携帯電話機の画面に同様のバーコードを表示させることも考えられている。
【０００４】
しかしながら、上記したシステムにおいては、サービス提供装置側で、利用者情報を確認するために、電話回線やインターネットなどの通信手段を通じて利用者の取引金融機関（決済センタ）等に与信要求を行う必要があり、オンラインで運用されるものであった。このため、地方等のオンラインのインフラが整備されていない場所では、そのようなシステムの導入ができない（サービス提供装置を設置できない）不具合があった。
【０００５】
また、例えば交通機関における乗車券等の販売においては、プリペイドカードを用いたシステムがある。ところが、このようなプリペイドカードを用いるシステムでは、価値情報を記憶した媒体（磁気カードやＩＣカードなど）が必要となり、その媒体は、価値情報の残りがなくなれば廃棄されるものであって繰返し使用ができない不具合があり、また、いくつかのシステムでカードを使用する場合、利用者は複数枚のカードを所持しなければならない欠点もあった。
【０００６】
本発明は上記事情に鑑みてなされたもので、その目的は、プリペイドカードのような価値情報を記録した媒体を必要とせず、しかもオフラインで運用が可能なサービス提供システムを提供するにある。
【０００７】
【課題を解決するための手段】
上記目的を達成するために、本発明者は、現在広く普及している携帯電話機等の携帯端末機に着目し、この携帯端末機において、残存価値情報をデータとして記憶させ、受領するサービスの対価価値情報を入力することにより、新たな残存価値情報を計算して書替えるという処理を、非可逆的に実行させるようにすれば、サービス提供装置側では、その非可逆的な処理が行われたことを読取って確認することにより、プリペイドカードと同様の仕組みでサービスを提供できることを知見し、本発明を成し遂げたのである。
【０００８】
即ち、本発明の請求項１のサービス提供システムは、サービスの利用者が所持する携帯端末機が、受領できるサービスの量に関する価値情報として、現時点で受領可能なサービスの量に関する価値情報の現在値、受けようとするサービスに相当する対価価値情報、当該サービスを受領した後に残存する受領可能なサービスの量に関する残存価値情報、のうち少なくとも２つを表示器に表示し、自動でサービスを提供するサービス提供装置が、その携帯端末機の表示器に表示された価値情報を読取器により読取ることに基づいてサービス提供の可否を判断しサービスを提供するように構成したものである。
【０００９】
これによれば、利用者がサービス提供装置のサービスを受領したい場合、携帯端末機の表示器に、受領できるサービスの量に関する価値情報を表示させ、それをサービス提供装置の読取器により読取らせることにより、サービス提供装置側でサービス提供が可能であると判断されれば、サービスを受領することができる。この場合、サービス提供の可否の判断は、サービスに相当する対価が価値情報の現在値の範囲内であるかどうかにより行うことができるのであるが、価値情報の現在値、対価価値情報、残存価値情報のうち２つの情報があれば、残りの１つは容易に計算できるので、上記３つの情報のうち少なくとも２つを表示器に表示すれば、必要な情報を表示することができる。
【００１０】
従って、請求項１の発明によれば、携帯端末機は情報を書替えながら何度でも使用可能なので、プリペイドカードシステムのような価値情報を記録したカード媒体が不要となり、また、サービス提供装置側で通信手段を通じて利用者情報を確認する必要もないので、オンラインのインフラが整備されていない場所でも、オフラインで運用することが可能となる。
【００１１】
また、携帯端末機を、サービスを受けるための所定の設定操作が行われることに基づいて、表示器に価値情報を表示し、以後は、設定操作の取消し或いは変更を受付けないように構成することができる（請求項２の発明）。これによれば、１度設定が行われて表示器に確定的に価値情報が表示された後は、利用者による取消しができないので、利用者が不正にサービスを受領することを未然に防止することができる。
【００１２】
このとき、サービスを受けるための所定の設定操作が行われると、表示器に価値情報を確定表示して良いかを確認させる表示を行い、確認操作が行われると、表示器に価値情報を表示し、以後は、設定操作の取消し或いは変更を受付けないように携帯端末機を構成することもできる（請求項３の発明）。これによれば、利用者の設定操作に誤操作があってもそれをカバーすることが可能となり、より使いやすくなる。
【００１３】
また、携帯端末機は、サービスを受けるための第１の設定操作の入力を受けると表示器に価値情報の現在値を表示し、サービス提供装置は、携帯端末機の表示器に表示された価値情報の現在値を読取ると、自らの有する表示部に第２の設定操作を促す表示を行い、その後、携帯端末機は、受けようとするサービスの対価価値情報に対応する第２の設定操作の入力を受けると、対価価値情報又は残存価値情報の少なくともいずれか一方を表示器に表示し、サービス提供装置は、携帯端末機の表示器に表示された対価価値情報又は残存価値情報を読取ることに基づいてサービス提供の可否を判断しサービスを提供する構成とすることができる　（請求項４の発明）。
【００１４】
これによれば、携帯端末機の利用者が第１及び第２の設定操作という２段階の操作を行うことにより、サービス提供装置のサービスを受領することができるのであるが、そのうち第２の設定操作は、サービス提供装置の表示部の表示を見て行えば良いので、操作に不慣れな利用者でも、設定操作を誤りなく容易に行うことができる。
【００１５】
この場合、携帯端末機を、第２の設定操作の入力を受けると、以後は、設定操作の取消し或いは変更を受付けないように構成すれば（請求項５の発明）、利用者が不正にサービスを受領することを未然に防止することができる。また、携帯端末機を、第２の設定操作が行われると、表示器に価値情報を確定表示して良いかを確認させる表示を行い、確認操作が行われると、以後は、設定操作の取消し或いは変更を受付けないように構成することもでき（請求項６の発明）、これによれば、利用者の第１及び第２の設定操作に誤操作があってもそれをカバーすることが可能となり、より使いやすくなる。
【００１６】
さらには、サービス提供装置と携帯端末機との間での信号の送受信の機能を設け、携帯端末機は、受けようとするサービスの対価価値情報に対応する設定操作の入力を受けると、表示器に対価価値情報を含む第１の情報の表示を行い、サービス提供装置は、携帯端末機の表示器に表示された第１の情報を読取ると、該携帯端末機に対して第２の情報を表示させる信号を送信し、携帯端末機は、その信号を受信すると、表示器を残存価値情報を含む第２の情報の表示に切替え、サービス提供装置は、携帯端末機の表示器に表示された第２の情報を読取ると、第１及び第２の情報からサービス提供の可否を判断しサービスを提供するように構成することもできる（請求項７の発明）。
【００１７】
これによれば、サービス提供装置は、携帯端末機の表示器に表示された対価価値情報を含む第１の情報を読取った後、表示器において表示が切替えられた残存価値情報を含む第２の情報を読取ることにより、第１の情報から第２の情報に正しい変化がなされたかどうかを確認することができ、これにより不正を未然に防止することができる。またこの場合、携帯端末機の表示器の表示は、サービス提供装置と携帯端末機との間での信号の送受信に基づいて、自動的に切替えられるので、利用者は最初の設定操作を行うだけの簡単な操作で済む。
【００１８】
このとき、携帯端末機を、設定操作の入力を受けて表示器に第１の情報を表示すると、以後は、設定操作の取消し或いは変更を受付けないように構成すれば　（請求項８の発明）、利用者が不正にサービスを受領することを未然に防止することができる。また、携帯端末機を、設定操作が行われると、表示器に第１の情報を確定表示して良いかを確認させる表示を行い、確認操作が行われると、以後は、設定操作の取消し或いは変更を受付けないように構成することもでき（請求項９の発明）、これによれば、利用者の設定操作に誤操作があってもそれをカバーすることが可能となり、より使いやすくなる。
【００１９】
さらに、サービス提供装置から携帯端末機に対して送信される信号が、音波を用いて無線伝送されるように構成しても良い（請求項１０の発明）。これによれば、例えば携帯電話機などの音声機能を有した携帯端末機において、その音声機能を利用して信号の受信をすることができ、別途の通信手段を不要として簡易に済ませることができる。尚、通信手段としては、音波を用いるもの以外でも、電波や光を利用するものであっても良いことは勿論である。
【００２０】
ところで、本システムのサービスを利用する利用者は、事前に利用のための登録及び入金が必要となる。そこで、本システムにあっては、利用者が受領できるサービスに関する価値情報を入力するために設置される自動振込装置を設け、その自動振込装置を、価値情報の振込先の携帯端末機の識別情報の入力操作と共に入金を受付けると、通信手段を介して、指定された携帯端末機を呼出し、入金金額に応じた価値情報と、価値情報の処理プログラムとを送信するように構成することができる（請求項１１の発明）。
【００２１】
これによれば、本システムのサービスを利用したい利用者は、自動振込装置に対し、自身が所持する携帯端末機の識別情報の入力操作を行うと共に、入金を行えば、該当する携帯端末機に入金金額に応じた価値情報が送信される（振込まれる）と共に、価値情報の処理プログラムが送信されるようになり、これにて、いわば登録が完了してサービスの利用が可能となる。
【００２２】
このとき、自動振込装置から携帯端末機に対し識別情報を価値情報に付加して送信するように構成すると共に、携帯端末機は、価値情報に付加された識別情報と、自らに予め設定されている識別情報とを照合し、一致した場合に価値情報の入力を受付けるように構成すれば（請求項１２の発明）、いわば、本人確認が行われるようになり、誤った携帯端末機に価値情報が送信されることを防止することができる。
【００２３】
また、自動振込装置を、指定された携帯電話機に対して設定すべきパスワード又は暗証番号の入力を受付け、入力があったときにはそのパスワード又は暗証番号を価値情報に付加して前記携帯電話機に送信するように構成すると共に、サービス提供装置を、携帯端末機の表示器に表示された価値情報を読取ると、入力部からパスワード又は暗証番号の入力を受付け、そのパスワード又は暗証番号の照合を行って一致した場合にサービスを提供するように構成することもできる（請求項１３の発明）。これによれば、利用者がサービス提供装置のサービスを受領するにあたって、パスワード又は暗証番号の照合が必要となり、正規の利用者以外の利用者による不正利用を防止することができる。
【００２４】
そして、上記したシステムにおいては、携帯端末機の表示器における価値情報の表示に、二次元コードを採用することができる（請求項１４の発明）。これによれば、小さな面積のコードに多量のデータを含ませることができ、有効となる。また、携帯端末機を、受領可能なサービスの残量がなくなったときには、処理プログラムの実行を不可能とするように構成しても良く（請求項１５の発明）、これにより、受領可能なサービスの残量がなくなったことを、利用者に判りやすく知らせることができる。
【００２５】
さらには、サービス提供装置を、携帯端末機の表示器に表示された価値情報を読取ることに基づき提供可能なサービスを判断し、提供可能なサービスを利用者に選択させるための表示を行うように構成することもできる（請求項１６の発明）。これにより、利用者に、利用（選択）可能なサービスを判りやすく知らせることができる。
【００２６】
【発明の実施の形態】
以下、本発明を具体化したいくつかの実施例について、図面を参照しながら説明する。
（１）第１の実施例
まず、図１ないし図８を参照して、本発明の第１の実施例について述べる。尚、この実施例は、請求項１，２，３，１１，１２，１４，１５，１６に対応している。また、この実施例では、自動でサービスを提供するサービス提供装置として、缶入り飲料の自動販売機により、商品（缶入り飲料）を販売する場合を具体例としている。
【００２７】
図１は、本実施例に係るサービス提供システムの構成を概略的に示している。ここで、このシステムは、システム管理者により設置される自動振込装置１、サービスの利用者が各々所持する携帯端末機２、サービスの提供者（缶入り飲料の販売業者）により任意の場所に設置されるサービス提供装置たる缶入り飲料の自動販売機３を備えて構成される。尚、本実施例では、前記自動振込装置１は、例えば金融機関（銀行）のＡＴＭ（現金自動預払機）に一体的に設けられるようになっており、該金融機関のホストコンピュータ４に接続されている。
【００２８】
前記携帯端末機２は、この場合携帯電話機からなり、コンパクトな縦長形状の本体の前面に、例えばＬＣＤからなる表示器５や、多数個のキーを備えるキー操作部６を有して構成されている。また、図３に示すように、携帯端末機２の内部には、マイコン（ＣＰＵ）を主体として構成される情報処理制御部７が設けられており、この情報処理制御部７に前記キー操作部６の操作信号が入力され、またこの情報処理制御部７が前記表示器５の表示を制御するようになっている。
【００２９】
さらに、周知のように、携帯端末機２は、音声入力用のマイク８や音声出力用のスピーカ９、電子ブザー１０、アンテナ１１ａ（図１参照）を備える無線通信部１１、二次電池からなる電源部１２、後述する価値情報などが記憶されるメモリ１３等を備えている。これにて、前記情報処理制御部７の処理動作を中心として、前記無線通信部１１により通信網を介して他の通信装置（携帯電話機）との間での通信（通話やメールの送受信）を行う通信機能等の諸機能が実現されるようになっている。尚、各携帯端末機２には、固有のＩＤ番号（電話番号やメールアドレス）が付与されていることは勿論である。また、本実施例では、本システムを利用するにあたり、利用者（携帯端末機２の所持者）により、識別情報としての暗証番号が予め設定され、記憶されるようになっている。
【００３０】
そしてこのとき、詳しくは後述するように、前記自動振込装置１により、本サービス提供システムによるサービスを受けるべく登録（及び入金）がなされると、通信網１４（図１参照）を介して、入金金額に応じた価値情報のデータ及び価値情報の表示や処理等を行うための処理プログラムが送信され、前記メモリ１３に、価値情報が記憶されると共に、処理プログラムがダウンロードされるようになっている。前記情報処理制御部７は、その処理プログラムを実行することにより、価値情報を記録した二次元コードＣ（例えばＱＲコード）の生成やその表示器５への表示を行うと共に、メモリ１３内の残存価値情報を現在値として順次　（不可逆的に）書替えていくようになっている。
【００３１】
前記自動販売機３は、図１に示すように、矩形箱型の本体の前面に、商品選択スイッチ１５を有する見本展示部１６、商品取出口１７、硬貨及び紙幣の投入口や釣銭排出口、販売中や釣銭切れ等の表示ランプを有する入金装置１８（コインメカ）等を備えている。また、詳しく図示はしないが、本体内には、多数の商品（缶入り飲料）を収容する収容庫が設けられていると共に、図４にのみ示すように、温度センサ１９の検出に基づいてその収容庫内を設定された適温に冷却あるいは加温する冷却加温装置２０、選択された商品を商品取出口１７へ排出するベンドメカ２１、電源装置２２、自動販売機３の管理者により操作される操作パネル２３等が設けられている。
【００３２】
さらに、図４に示すように、この自動販売機３には、マイコン（ＣＰＵ）を主体として構成される情報処理制御部２４が設けられており、全体の制御を行うようになっている。この情報処理制御部２４には、上記各装置が接続されていると共にメモリ２５も接続されている。尚、この自動販売機３の本体の前面には、図１，図４に示すように、利用者に必要なメッセージを表示するための表示部２６が設けられており、更に、図４にのみ示すように、前記携帯端末機２に対する送信信号を音声データとして出力するためのスピーカ２７も設けられている。
【００３３】
そして、この自動販売機３の前面部には、図１に示すように、読取部２８が設けられている。この読取部２８は、前記携帯端末機２の先端部が挿入可能な凹部内に、画像読取器２９（図４参照）を備えて構成されている。この画像読取器２９による読取りデータは、前記情報処理制御部２４に入力されるようになっている。これにて、後述するように、本システムにおいては、自動販売機３（情報処理制御部２４）は、読取部２８内に携帯端末機２の先端部が挿入された状態で、その表示器５に表示された二次元コードＣを画像読取器２９により読取ることに基づいて、サービスを提供（商品の払出し）することが可能とされている。尚、ユーザが入金装置１８に現金を投入して缶入り飲料を購入する通常の販売が可能であることは勿論である。
【００３４】
前記自動振込装置１（ＡＴＭ）は、図１に示すように、本体の前面部に、預金通帳及びキャッシュカードの挿入口３０及び３１、入力された暗証番号や金額、必要なメッセージ等を表示する表示部３２、例えばタッチパネルからなる入力操作部３３、紙幣出入口３４等を有している。そして、図５に示すように、この自動振込装置１には、マイコン（ＣＰＵ）を主体として構成される情報処理制御部３５が設けられており、前記入力操作部３３からの信号が入力されると共に、表示部３２の表示を制御するようになっている。
【００３５】
また、図５に示すように、この自動振込装置１には、前記通信網１４を介して携帯端末機２との間で通信を行うための通信手段たる通信部３６、入金センサ３７、スピーカ３８、メモリ３９、入出金制御部４０等が設けられており、それらも前記情報処理制御部３５により制御されるようになっている。尚、この自動振込装置１には、電源部４１も設けられており、さらに、前記携帯端末機２の表示器５の表示を読取るための画像読取部４２を設けても良い。
【００３６】
詳しくは後述するように、この自動振込装置１（情報処理制御部３５）は、本システムの利用者により、入力操作部３３の所定の入力操作が行われると共に、現金やキャッシュカード等を用いた入金を受付けると、通信部３６を介して指定された（利用者が所持する）携帯端末機２を呼出し、上述のように、入金金額に応じた価値情報と、処理プログラムとを送信するようになっている。これにて、いわば利用者の登録が行われ、利用者が本システムを利用することが可能とされるのである。
【００３７】
さて、本実施例に係るサービス提供システムは、携帯端末機２に残存価値情報をデータとして記憶させ、受領するサービス（商品）の対価価値情報を入力することにより、新たな残存価値情報を計算して書替えるという処理を、非可逆的に実行させ、自動販売機３側では、その非可逆的な処理が行われたことを読取って確認することにより、プリペイドカードと同様の仕組みでサービスを提供（商品を販売）するようになっている。
【００３８】
即ち、後の作用説明でも述べるように、利用者が本システムを利用すべく登録たい場合には、自動振込装置１を操作して、価値情報の振込先つまり自らの所持するの携帯端末機２の識別情報（この場合、暗証番号及び電話番号）の入力を行うと共に、所望の金額の入金を行う。すると、自動振込装置１は、通信部３６を介して、指定された携帯端末機２を呼出し、入金金額に応じた価値情報と、識別情報としての暗証番号のデータと、価値情報の処理プログラムとを送信する。
【００３９】
前記携帯端末機２は、それらを受信すると、まず価値情報に付加された暗証番号と、自らに予め設定されている暗証番号とを照合し、一致した場合に価値情報の入力を受付ける（メモリ１３に記憶する）と共に、受信した旨の応答信号を返信するようになっている。これにて、登録が完了し、利用者は、その価値情報分のサービスの提供を受けることが可能となるのである。尚、残存価値情報が少なくなってきたときなどに、利用者が追加入金したい場合についても、同様に行うことができる。
【００４０】
そして、利用者が、自動販売機３からのサービスを受領（所望の缶入り飲料を購入）する場合には、携帯端末機２のキー操作部６によりサービスを受けるための所定の設定操作（処理プログラムの起動の指示、及び暗証番号の入力、並びに受けようとするサービスの対価（商品の購入金額）の入力）を行う。すると、携帯端末機２は、処理プログラムを実行し、図２に示すように、その表示器５に、受領できるサービスの量に関する価値情報及び暗証番号のデータを二次元コードＣ（例えばＱＲコード）で表示するようになっている。
【００４１】
この場合、その価値情報として、▲１▼現時点で受領可能なサービスの量に関する価値情報の現在値、▲２▼受けようとするサービスに相当する対価価値情報、▲３▼当該サービスを受領した後に残存する受領可能なサービスの量に関する残存価値情報（▲１▼から▲２▼を減算したもの）のうち少なくとも２つ、本実施例では、▲１▼価値情報の現在値と▲３▼残存価値情報とのデータを含んだ二次元コードＣを表示するようになっている。またこのとき、本実施例では、利用者により受けようとするサービスの対価の入力が行われると、携帯電話機２は、表示器５に価値情報を確定表示して良いかを確認させる表示を行い、利用者による確認操作が行われると、前記価値情報を表示し、以後は、前記設定操作の取消し或いは変更の受付けを不能とするようになっている。
【００４２】
尚、上記した価値情報は、▲１▼−▲２▼＝▲３▼の関係があるので、▲１▼，▲２▼，▲３▼のうちいずれか２つの情報があれば、残りの１つは容易に計算できる。従って、▲１▼と▲２▼との組合せ、あるいは、▲２▼と▲３▼との組合せであっても、必要な情報を表示することができる。▲１▼，▲２▼，▲３▼の全ての情報を含んだ表示を表示させるようにしても良いことは勿論である。
【００４３】
利用者は、携帯端末機２を、その表示器５に価値情報（二次元コードＣ）が表示された状態で、自動販売機３の読取部２８に挿入する。すると、自動販売機３は、画像読取器２９により、携帯端末機２の表示器５に表示された価値情報を読取り、サービス提供の可否（価値情報の正当性）を判断し、正当であると判断した場合に、サービスを提供（商品を販売）するようになっている。
【００４４】
このとき、自動販売機３は、前記価値情報を読取ることに基づいて、販売可能な（入力された対価に相当する）商品（缶入り飲料）を判断し、販売可能な商品を利用者に選択させるための表示を行うようになっている。この表示は、具体的には、販売可能な商品に対応する商品選択スイッチ１５のランプを点灯させること等により行われる。そこで、利用者は、所望の商品に対応する商品選択スイッチ１５を操作すれば、その商品が商品取出口１７に払い出されるので、その商品を取出すことができる。
【００４５】
尚、利用者は、商品の受領後は、携帯端末機２を読取部２８から取出して、終了操作を行う。携帯電話機２は、その終了操作があると、処理プログラムを終了するようになっているのであるが、このとき、残存価値情報が新たな価値情報の現在値とされるようにメモリ１３のデータが書替えられることは勿論である。また、受領可能なサービスの残量がなくなったつまり価値情報が零となったときには、以後の処理プログラムの実行が不可能とされる（例えば処理プログラムが消去される）ようになっている。
【００４６】
次に、上記構成の作用について、図６ないし図８も参照して述べる。図６、図７、図８のフローチャートは、夫々、自動振込装置１、携帯端末機２、自動販売機３において実行される、本サービス提供システムを実現する場合における処理の手順を示している。まず、図６において、自動振込装置１の情報処理制御部３５は、入力操作部３３により価値情報の振込の入力操作を受付けると（ステップＳ１）、暗証番号と電話番号との入力を促すメッセージを表示部３２に表示する（ステップＳ２）。
【００４７】
ここで、利用者は入力操作部３３を操作して暗証番号と電話番号との入力を行うのであるが、次のステップＳ３では、暗証番号が正当かどうかが判断され、正当でない場合には（Ｎｏ）、そのまま終了する。暗証番号が正当であった場合には（ステップＳ３にてＹｅｓ）、入金を促すメッセージを表示部３２に表示する（ステップＳ４）。そして、利用者が例えば現金にて入金（例えば１０００円）を行い、その入金を確認すると（ステップＳ５）、上記入力された電話番号を用いて携帯端末機２を呼出して通信回線を接続する（ステップＳ６）。
【００４８】
次いで、その携帯端末機２に対して、入金金額に応じた価値情報（例えば１０００円の入金に対して１０００Ｐ）と、暗証番号のデータと、価値情報の処理プログラムとを送信する（ステップＳ７）。携帯端末機２からの応答信号を受信すると（ステップＳ８）、振込み操作完了を示すメッセージを表示部３２に表示し（ステップＳ９）、処理が終了する。これにて、利用者の携帯端末機２に例えば１０００Ｐの価値情報が振込まれることになって、その金額分のサービスの利用が可能となるのである。
【００４９】
次に、図７のフローチャートは、利用者が、携帯端末機２を用いてサービスを受領する（自動販売機３から缶入り飲料を購入する）際に情報処理制御部７が実行する処理手順を示している。即ち、利用者によりキー操作部６が操作され、設定操作としての価値情報を読出して表示させる指示（価値情報の処理プログラムの起動の指示）がなされると（ステップＳ１１）、処理プログラムが起動される（ステップＳ１２）。
【００５０】
すると、まず表示器５に暗証番号の入力を促す表示がなされ（ステップＳ１３）、暗証番号が入力されるとステップＳ１４にてその正否が判断される。これにて、正当な利用者でない第三者が不正に携帯端末機２を用いてサービスを受けることが未然に防止される。暗証番号が正当であると判断されたときには（ステップＳ１４にてＹｅｓ）、価値情報の現在値（例えば１０００Ｐ）が読出されて表示器５の画面に表示される（ステップＳ１５）。利用者はそれを見て、現時点で受領可能なサービスの量を知ることができる。
【００５１】
次いで、利用者は、受領したいサービスに相当する対価（この場合購入したい缶入り飲料の価格に相当）を、キー操作部６により入力する（ステップＳ１６）。今、例えば１００円の缶入り飲料を購入したい場合には、１００Ｐを入力する。すると、次のステップＳ１７では、表示器５に価値情報を確定表示して良いかを確認させる表示が行われる。これにより、利用者に誤操作（例えば対価を誤って入力したような場合）があってもそれをカバーすることが可能となる。
【００５２】
そして、利用者による確認操作が行われると（ステップＳ１８にてＹｅｓ）、価値情報の現在値（この場合１０００Ｐ）と残存価値情報（９００Ｐ）とのデータ、さらには暗証番号を含んだ二次元コードＣが生成されて、図１に示すように表示器５に表示される（ステップＳ１９）。この場合、価値情報の表示に二次元コードＣを採用したことにより、小さな面積のコードに多量のデータを含ませることができ、有効である。
【００５３】
尚、ここでは、図１に示すように、二次元コードＣと共に、例えば対価（この場合１００Ｐ）が利用者に判るように数値で表示されているが、価値情報の現在値や残存価値情報を数値で表示するようにしても良い。また、表示器５に確定的に価値情報が表示された後は、利用者による取消しができないので、利用者が不正にサービスを受領することを未然に防止することができる。
【００５４】
このようにして表示器５に二次元コードＣが表示されると、利用者はそれを用いて自動販売機３から１００円の商品を選択して購入することができる（ステップＳ２０）。この際の自動販売機３における処理は後に述べる。この後、利用者による終了操作がなされると（ステップＳ２１）、表示器５の表示がクリアされると共に、処理プログラムが終了される（ステップＳ２２）。図示はされていないが、終了操作がなされなくても、価値情報を表示（ステップＳ１９）してから一定時間（例えば１０分間）の経過後に、自動的にステップＳ２２に進んで終了がなされる。
【００５５】
最後に、図８のフローチャートは、自動販売機３（情報処理制御部２４）が実行する処理手順を示している。即ち、表示器５に二次元コードＣが表示された携帯端末機２が、読取部２８に挿入されると、画像読取器２９により表示画像（価値情報）が読取られる（ステップＳ３１）。次のステップＳ３２では、読取った価値情報の正当性がチェックされる。この正当性のチェックは、システムに対応した正規の様式で（処理プログラムにより）生成された二次元コードＣであるか、対価価値情報として正しい金額（ポイント）が設定されているか、所定時間内に暗証番号を含めて同一の二次元コードＣを読取っていないか（二重使用の禁止）、等により行われる。
【００５６】
そして、読取った価値情報が正当ではないと判断されたときには（ステップＳ３３にてＮｏ）、ステップＳ３４にて、価値情報に正当性がなく商品提供ができない旨のメッセージを表示部２６に表示して、そのまま終了する。一方、正当であると判断されたときには（ステップＳ３３にてＹｅｓ）、販売可能な商品（例えば１００円（１００Ｐ）の商品）に対応する商品選択スイッチ１５のランプが点灯され（ステップＳ３５）、これと共に、表示部２６に、商品を選択する旨のメッセージが表示されるようになっている（ステップＳ３６）。
【００５７】
そこで、利用者により、商品選択スイッチ１５の操作があれば（ステップＳ３７）、選択された商品が商品取出口１７に払い出される（ステップＳ３８）。これにて、利用者は、常時携帯している携帯端末機２を、いわばプリペイドカードと同じように使用して、キャッシュレスでサービスを受ける（自動販売機３から商品を購入する）ことが可能となるのである。
【００５８】
このように本実施例によれば、利用者が所持する携帯端末機２を用いて、プリペイドカードと同様の仕組みでサービスを提供することができ、サービス提供装置（自動販売機３）側で通信手段を通じて利用者情報を確認する必要がないので、例えば地方などのオンラインのインフラが整備されていない場所でも、オフラインで運用することが可能となる。しかも、プリペイドカードシステムのような価値情報を記録したカード媒体を不要とすることができるものである。
【００５９】
（２）第２の実施例
次に、図９ないし図１１を参照して、本発明の第２の実施例（請求項４，５，６に対応）について説明する。尚、以下に述べる第２，第３の実施例が上記第１の実施例と異なる点は、主として携帯端末機２及びサービス提供装置たる自動販売機３のソフトウエア的構成にある。従って、サービス提供システム全体のハードウエア構成等については、上記第１の実施例と共通するので、同一部分には同一符号を付して新たな図示及び詳しい説明を省略し、以下、異なる点についてのみ述べることとする。
【００６０】
この第２の実施例では、利用者がサービスを受けるための携帯端末機２における設定操作（価値情報を含んだ二次元コードＣの表示器５への表示）を２回に分けて行い、それに伴い、自動販売機３側における価値情報（二次元コードＣ）の読取りも２回に分けて行うという、いわばツーアクション方式を採用したものである。
【００６１】
即ち、携帯端末機２は、サービスを受けるための第１の設定操作の入力を受けると表示器５に価値情報の現在値を二次元コードＣで表示し、自動販売機３は、携帯端末機２の表示器５に表示された価値情報の現在値を読取ると表示部２６に第２の設定操作を促す表示を行い、その後、携帯端末機２は、受けようとするサービスの対価価値情報に対応する第２の設定操作の入力を受けると表示器５に対価価値情報又は残存価値情報の少なくともいずれか一方（本実施例では双方）を二次元コードＣで表示し、自動販売機３は、携帯端末機２の表示器５に表示された残存価値情報を読取ることに基づいてサービス提供の可否を判断しサービスを提供するようになっているのである。
【００６２】
図１０及び図１１のフローチャートは、その際に、携帯端末機２（情報処理制御部７）及び自動販売機３（情報処理制御部２４）が実行する処理手順を夫々示している。まず、図１０に示すように、携帯端末機２側においては、利用者によりキー操作部６が操作され、第１の設定操作として価値情報の処理プログラムの起動の指示がなされると、第１の実施例（図７）におけるステップＳ１１〜Ｓ１４と同様の処理がなされ（図示及び説明を省略する）、暗証番号が正当であると判断されたときには（ステップＳ１４にてＹｅｓ）、次のステップＳ４１にて、価値情報の現在値が読出されて二次元コードＣの画像が生成され、利用者に判る数値と共に表示器５の画面に表示される。このときの二次元コードＣには、図９（ａ）に示すように、価値情報の現在値（例えば１０００Ｐ）及び暗証番号のデータが含まれる。
【００６３】
このようにして表示器５に二次元コードＣが表示された状態で、利用者がその携帯端末機２を自動販売機３の読取部２８に差込むことにより、自動販売機３側で二次元コードＣ（価値情報の現在値）の読取り及び正当性のチェックが行われる（ステップＳ４２）。この正当性のチェックの処理については、後述する自動販売機３の動作（Ａ）で実行され、正当であれば（ステップＳ４３にてＹｅｓ）、自動販売機３の表示部２６に第２の設定操作つまり対価価値情報の入力を促す表示が行われるので、利用者は、携帯端末機２を読取部２８から一旦取出して、購入したい缶入り飲料の対価（１００Ｐ）を、キー操作部６により入力する（ステップＳ４４）。
【００６４】
すると、次のステップＳ４５では、表示器５に価値情報を確定表示して良いかを確認させる表示が行われ、利用者による確認操作が行われると（ステップＳ４６にてＹｅｓ）、次のステップＳ４７にて、対価価値情報及び残存価値情報を含む二次元コードＣの画像が生成され、表示器５の画面に表示される。このときの二次元コードＣには、図９（ｂ）に示すように、対価価値情報（１００Ｐ）及び残存価値情報（９００Ｐ）及び暗証番号のデータが含まれる。
【００６５】
そして、その状態で、利用者がその携帯端末機２を自動販売機３の読取部２８に再度差込むことにより、自動販売機３側で二次元コードＣ（対価価値情報及び残存価値情報）の読取り及び正当性のチェックが行われる（ステップＳ４８）。この正当性のチェックの処理については、後述する自動販売機３の動作（Ｂ）で実行され、正当であれば、利用者は自動販売機３から１００円の商品を選択して購入することができる（ステップＳ４９）。この後、利用者による終了操作がなされると（ステップＳ２１）、表示器５の表示がクリアされると共に、処理プログラムが終了される（ステップＳ２２）。
【００６６】
次に、図１１に示すように、自動販売機３側では、動作（Ａ）と動作（Ｂ）との２段階での処理が行われる。即ち、上述のように、価値情報の現在値を含む二次元コードＣが表示器５に表示された携帯端末機２が、読取部２８に差込まれると、動作（Ａ）が開始され、画像読取器２９により表示画像（価値情報の現在値）が読取られる（ステップＳ５１）。次のステップＳ５２では、読取った価値情報の正当性がチェックされる。この正当性のチェックは、システムに対応した正規の様式で生成された二次元コードＣであるか、価値情報の現在値が商品の購入可能な金額以上となっているか、等により行われる。
【００６７】
そして、読取った価値情報が正当ではないと判断されたときには（ステップＳ５３にてＮｏ）、ステップＳ５４にて、価値情報に正当性がなく商品提供ができない旨のメッセージを表示部２６に表示して、終了する。一方、正当であると判断されたときには（ステップＳ５３にてＹｅｓ）、表示部２６に第２の設定操作つまり対価価値情報の入力を促す表示が行われるようになっている（ステップＳ５５）。尚、このときには、読取った二次元コードＣの情報が記憶されるようになっている。
【００６８】
このようにして動作（Ａ）が終了した後、引続き、上述のように対価価値情報及び残存価値情報を含む二次元コードＣが表示器５に表示された携帯端末機２が、読取部２８に差込まれると、動作（Ｂ）が開始される。画像読取器２９により表示画像（対価価値情報及び残存価値情報）が読取られ、読取った価値情報の正当性がチェックされる（ステップＳ５６）。このときの正当性のチェックは、上記記憶された情報に対し、暗証番号が一致しているか、価値情報が正しく変化しているか（残存価値情報が、上記現在値から対価の分だけ減っているか）、等により行われる。
【００６９】
そして、読取った価値情報が正当ではないと判断されたときには（ステップＳ５７にてＮｏ）、ステップＳ５８にて、価値情報に正当性がなく商品提供ができない旨のメッセージを表示部２６に表示して、終了する。一方、正当であると判断されたときには（ステップＳ５７にてＹｅｓ）、上記第１の実施例（図８）と同様に、商品選択スイッチ１５のランプが点灯される（ステップＳ３５）と共に、表示部２６に商品を選択を促すメッセージが表示され（ステップＳ３６）、利用者が所望の商品選択スイッチ１５を操作すれば（ステップＳ３７）、選択された商品が商品取出口１７に払い出されるのである（ステップＳ３８）。
【００７０】
このような第２の実施例によれば、上記第１の実施例と同様に、利用者が所持する携帯端末機２を用いて、プリペイドカードと同様の仕組みでサービスを提供することができ、プリペイドカードのような価値情報を記録した媒体を必要とせず、しかもオフラインで運用が可能となるという優れた効果を奏する。そして、特に本実施例では、携帯端末機２の利用者が第１の設定操作を行った後、自動販売機３の表示部２６の表示を見て第２の設定操作を行えば良いので、操作に不慣れな利用者でも、設定操作を誤りなく容易に行うことができ、これと共に、自動販売機３側では、携帯端末機２の表示器５における価値情報の２度の読取りにより、正しい変化がなされたかどうかを確認することができ、これによって不正を未然に防止することができるといった利点を得ることができるものである。
【００７１】
（３）第３の実施例、その他の実施例
図１２ないし図１４は、本発明の第３の実施例（請求項７，８，９，１０に対応）を示している。この第３の実施例では、サービス提供装置としての自動販売機３と携帯端末機２との間での信号の送受信の機能を設け、自動販売機３側は、読取部２８に挿入された携帯端末機２の表示器５に表示された価値情報（二次元コードＣ）を読取った後、携帯端末機２に対して表示の変化を指示する信号を送信し、表示器５が正しく反応（変化）するかを見て正当性を判断する、いわばフィードバック方式を採用したものである。
【００７２】
即ち、携帯端末機２は、受けようとするサービスの対価価値情報に対応する設定操作の入力を受けると表示器５に対価価値情報を含む第１の情報（図１２（ａ）参照）の表示を行い、自動販売機３は、携帯端末機２の表示器５に表示された第１の情報を読取ると該携帯端末機２に対して第２の情報を表示させる信号を送信し、携帯端末機２は、その信号を受信すると表示器５を残存価値情報を含む第２の情報（図１２（ｂ）参照）の表示に切替え、自動販売機３は、携帯端末機２の表示器５に表示された第２の情報を読取ると第１及び第２の情報からサービス提供の可否を判断しサービスを提供するようになっているのである。
【００７３】
また、本実施例では、自動販売機３は、スピーカ２７（図４参照）から音声信号を出力することにより送信機能を実現し、携帯端末機２はマイク８によりその音声信号を入力することにより受信機能を実現するようになっている。つまり、自動販売機３から携帯端末機２に対して送信される信号が、音波を用いて無線伝送されるように構成されているのである。
【００７４】
図１３及び図１４のフローチャートは、本実施例において、携帯端末機２（情報処理制御部７）及び自動販売機３（情報処理制御部２４）が実行する処理手順を夫々示している。まず、図１３に示すように、携帯端末機２側においては、利用者によりキー操作部６が操作され、設定操作として価値情報の処理プログラムの起動の指示がなされると、第１の実施例（図７）におけるステップＳ１１〜Ｓ１４と同様の処理がなされ（図示及び説明を省略する）、暗証番号が正当であると判断されたときには（ステップＳ１４にてＹｅｓ）、次のステップＳ６１にて、価値情報の現在値（例えば１０００Ｐ）が読出されて表示器５に表示されると共に、対価価値情報の入力を促すメッセージが表示される。
【００７５】
利用者が、キー操作部６により購入したい缶入り飲料の対価（１００Ｐ）を、入力すると（ステップＳ６２）、次のステップＳ６３では、表示器５に価値情報を確定表示して良いかを確認させる表示が行われ、利用者による確認操作が行われると（ステップＳ６４にてＹｅｓ）、次のステップＳ６５にて、図１２（ａ）に示すように、価値情報の現在値及び対価価値情報からなる第１の情報を含む二次元コードＣの画像が生成され、表示器５の画面に表示される。
【００７６】
このようにして表示器５に二次元コードＣが表示された状態で、利用者がその携帯端末機２を自動販売機３の読取部２８に差込むことにより、自動販売機３側で二次元コードＣ（第１の情報）の読取り及び正当性のチェックが行われ（ステップＳ６６）、正当であれば、後述のように自動販売機３側から第２の情報への表示切替を指示する信号が送信されるので、その信号を受信すると（ステップＳ６７）、ステップＳ６８にて、図１２（ｂ）に示すような、残存価値情報（この場合９００Ｐ）からなる第２の情報を含む二次元コードＣの画像が生成され、表示器５の画面に表示される。
【００７７】
そして、自動販売機３側では、その二次元コードＣ（第２の情報）の読取り及び正当性のチェックが行われ（ステップＳ６９）、正当であれば、上記第２の実施例と同様に、利用者は自動販売機３から１００円の商品を選択して購入することができる（ステップＳ７０）。この後、利用者による終了操作がなされると　（ステップＳ２１）、表示器５の表示がクリアされると共に、処理プログラムが終了される（ステップＳ２２）。
【００７８】
次に、図１４に示すように、自動販売機３側では、上記第１の情報を含む二次元コードＣが表示器５に表示された携帯端末機２が、読取部２８に差込まれると、画像読取器２９により表示画像（第１の情報）が読取られて正当性がチェックされる（ステップＳ７１）。この正当性のチェックは、システムに対応した正規の様式で生成された二次元コードＣであるか、価値情報の現在値が商品の購入可能な金額以上となっているか、正しい対価価値情報が入力されているか、等により行われる。
【００７９】
読取った価値情報が正当ではないと判断されたときには（ステップＳ７２にてＮｏ）、ステップＳ７３にて、価値情報に正当性がなく商品提供ができない旨のメッセージを表示部２６に表示して、終了する。一方、正当であると判断されたときには（ステップＳ７２にてＹｅｓ）、ステップＳ７４にて、携帯端末機２に対して第２の情報への表示切替えを指示する信号（音声信号）がスピーカ２７から出力される。このとき、携帯端末機２は、読取部２８に挿入されたままであることは勿論である。
【００８０】
そして、上記のように、携帯端末機２側では、表示器５の画面が、残存価値情報からなる第２の情報を含む二次元コードＣの画像に切替えられるので、画像読取器２９により表示画像（第２の情報）が読取られて正当性がチェックされる　（ステップＳ７５）。この正当性のチェックは、暗証番号が一致しているか、残存価値情報が上記第１の情報から正しく変化しているか、等により行われる。ここで、正当ではないと判断されたときには（ステップＳ７６にてＮｏ）、同様にステップＳ７３に進む。
【００８１】
一方、正当であると判断されたときには（ステップＳ７６にてＹｅｓ）、上記第１，第２の実施例（図８，図１１）と同様に、商品選択スイッチ１５のランプが点灯される（ステップＳ３５）と共に、表示部２６に商品を選択を促すメッセージが表示され（ステップＳ３６）、利用者が所望の商品選択スイッチ１５を操作すれば（ステップＳ３７）、選択された商品が商品取出口１７に払い出されるのである（ステップＳ３８）。
【００８２】
このような第３の実施例によれば、上記第１の実施例と同様に、プリペイドカードのような価値情報を記録した媒体を必要とせず、しかもオフラインで運用が可能となるという優れた効果を奏する。そして、特に本実施例では、信号の送受信に基づいて携帯端末機２の表示器５の表示を第１の情報から第２の情報へ切替え、自動販売機３側で正しい変化がなされたかどうかを確認することにより、不正を未然に防止することができ、また、利用者は最初の設定操作を行うだけの簡単な操作で済む。さらに、本実施例では、携帯端末機２が元々有している音声機能を利用して信号を受信するようにしたので、携帯端末機２に別途の通信手段を設ける必要がなく、簡易に済ませることができるという利点を得ることができるものである。
【００８３】
尚、上記第３の実施例では、自動販売機３と携帯端末機２との間の通信を、音波を用いて無線伝送されるように構成したが、通信手段としては、音波を用いるもの以外にも、電波（Ｂｌｕｅｔｏｏｔｈ　等の短距離通信）や光を利用するものであっても良いことは勿論である。また、上記各実施例では、携帯端末機２の処理において、表示器５に価値情報を確定表示して良いかを確認させるステップを設けたが、この確認の処理を省略し、一旦表示器５に価値情報の表示がなされた後は、設定操作の取消しあるいは変更を受付けないように構成しても良い。上記各実施例では、二次元コードＣに含ませる情報として暗証番号を採用したが、ＩＤ番号やパスワード等の他の識別情報であっても良い。
【００８４】
そして、サービス提供装置を、携帯端末機の表示器に表示された価値情報を読取ると、利用者による入力部からのパスワード又は暗証番号の入力を受付け、そのパスワード又は暗証番号の照合を行って一致した場合にサービスを提供するように構成することもできる（請求項１３に対応）。これによれば、利用者がサービス提供装置のサービスを受領するにあたっては、パスワード又は暗証番号の照合が必要となり、正規の利用者以外の利用者による不正利用を、より確実に防止することが可能となる。
【００８５】
また、上記第１の実施例では説明しなかったが、上記自動振込装置１にあって、携帯端末機２の表示器５の表示を読取るための画像読取部４２（図５参照）を設ける構成とすれば、指定された（利用者が所持する）携帯端末機２を呼出し、入金金額に応じた価値情報と処理プログラムとを送信した際に、その携帯端末機２がそれらデータの受信が完了した際に表示器５に例えばテストパターンのような所定の表示を行わせるようにし、その表示を画像読取部４２に読取らせることによって、指定された携帯端末機２に正しくデータが送信されたことを確認するように構成しても良い。
【００８６】
さらには、自動振込装置としては、ＡＴＭに付加的に設けるものに限らず、独立して設けるものであっても良く、また、ＡＴＭを操作せず、携帯端末機から金融機関の口座管理システムに接続し、指定金額の振込みを指示することもできる。この場合は、図１にａ〜ｃで示したように、金融機関の口座管理システムが、サービス提供業者の指定口座に振込みを行い、その通知ｂが発給サーバに届き、発給サーバが携帯端末機に価値情報等ｃを送信する構成とすることができる。
【００８７】
その他、携帯端末機２としては、携帯電話機に限らず、ＰＤＡ等他の情報端末機であっても良く、また、サービス提供装置としては、商品の自動販売機３に限らず、チケットの販売や音楽ソフトやゲームソフト等の提供等、自動で各種のサービスを提供するサービス提供装置全般にに適用することができる。さらには、表示器５における情報の表示に二次元コードＣを採用したが、バーコード等を用いるようにしても良い等、本発明は要旨を逸脱しない範囲内で、適宜変更して実施し得るものである。
【図面の簡単な説明】
【図１】本発明の第１の実施例を示すもので、システムの構成を概略的に示す図
【図２】表示器に表示する価値情報及び二次元コードの例を示す図
【図３】携帯端末機の電気的構成を概略的に示すブロック図
【図４】自動販売機の電気的構成を概略的に示すブロック図
【図５】自動振込装置の電気的構成を概略的に示すブロック図
【図６】自動振込装置における処理の手順を示すフローチャート
【図７】携帯端末機における処理の手順を示すフローチャート
【図８】自動販売機における処理の手順を示すフローチャート
【図９】本発明の第２の実施例を示すもので、表示器に表示する価値情報の変化の様子を示す図
【図１０】図７相当図
【図１１】図８相当図
【図１２】本発明の第３の実施例を示すもので、図９相当図
【図１３】図１０相当図
【図１４】図１１相当図
【符号の説明】
図面中、１は自動振込装置、２は携帯端末機、３は自動販売機（サービス提供装置）、５は表示器、６はキー操作部、７は情報処理制御部、８はマイク、１１は無線通信部、１３はメモリ、１４は通信網、１５は商品選択スイッチ、２４は情報処理制御部、２６は表示部、２７はスピーカ、２８は読取部、２９は読取器、３２は表示部、３３は入力操作部、３５は情報処理制御部、３６は通信部、４２は画像読取部、Ｃは二次元コードを示す。
【図１】
2004030167.tif 000003
【図２】
2004030167.tif 000004
【図３】
2004030167.tif 000005
【図４】
2004030167.tif 000006
【図５】
2004030167.tif 000007
【図６】
2004030167.tif 000008
【図７】
2004030167.tif 000009
【図８】
2004030167.tif 000010
【図９】
2004030167.tif 000011
【図１０】
2004030167.tif 000012
【図１１】
2004030167.tif 000013
【図１２】
2004030167.tif 000014
【図１３】
2004030167.tif 000015
【図１４】
2004030167.tif 000016